(57)【特許請求の範囲】
【請求項１】
ドア枠に固定され、閉じられたドア側にだけ開口部を有する横断面コ字状の中空部材と、
その中空部材に開口部からドア側とは逆側となる奥側に向かって収納され、しかもそのときドア側の一部が外側に突出した状態で収納されるゴム様弾性体よりなる反り追従体と、および、
中空部材の奥側と、収納された反り追従体との間の閉じられた空間に収納された、内部に気体／又は液体が封入されたゴム様弾性体よりなるチューブ体と、を備えてなり、
ドア閉時には、反り追従体の外側に突出した一部の側がドアに当接することを特徴とする戸当たり部材。
【発明の詳細な説明】
【０００１】
【発明の属する技術分野】
本発明は、戸当たり部材に関する。具体的には、住宅その他の建物に使用されるドア枠に取付けられ、ドアと当接し、ドア枠とドアとの隙間をシールする戸当たり部材に関する。
【０００２】
【従来の技術】
ドアは、２つの室、すなわち建物の外部・内部等、一方の部分（区画）と，それとは用途・環境（例えば空調）条件の異なる、隣接の他方の部分（区画）と，を、人・物が通過可能に仕切るものであることは周知のことである。
住宅その他の建物に使用されるドアの材料は、大きく分けると、金属（無機）系・木質（有機）系に分けられる。そして、木質系のものには、無垢材・合板・ＬＶＬ・集成材等があり、その構造には、框組み・フラッシュ等が採用されている。
【０００３】
さらに、わが国の一般住宅は、主として経済性の観点から、未だ全館空調は少なく、大半は、居室のみの局部冷暖房が行われている。すなわち、空調される居室と，空調のない玄関や廊下と，の間は、ドアで仕切られることによって、両者間の温度差が５〜２０℃、湿度差が５０％以上に保持される。なお、住宅の内外を仕切る玄関ドアは、この条件より一段と厳しいうえに、雨水の影響も受ける等、求められる仕切条件には一層厳しいものがある。
【０００４】
上記のような厳しい条件では、ドアの両面で環境条件が著しく異なる場合は、ドアの反りが発生しやすい。これは、気孔を有し、吸湿性を有する木質ドアにおいて顕著である。すなわち、木質材料は、程度の差こそあれ、多少なりとも含水率が変化すると、膨脹収縮を生じることによるものである。
【０００５】
図４及び図５に示すように、ドア２の反りが発生すると、ドア枠、即ち戸当り部材８との間に隙間５が生じ、それによって光の漏れや隙間風が生じ、その結果、冷暖房効果の低下等が生じて、エネルギー消費を増大させることになる。
この隙間５を防止するために、これまでは、ドア２の戸当り部材８のドア２側にゴム等の柔軟なパッキン７が取付けられ、それが介在することによって、ドア２と戸当り部材８との隙間５を塞ぐ方法が採られて来た。
なお、冷蔵庫等で既に一般化しているが、パッキン７に組み込まれた磁石と，ドア側に組み込まれた、前記磁石が吸着する鉄板と，の組み合わせによって、隙間５を塞ぐという手段も考えられる。
【０００６】
【発明が解決しようとする課題】
しかしながら、上記の対策は、次に示す問題点がある。
（ア）パッキン７は、圧縮されると、反発力が高くなるため、ドアを完全に（隙間無く）閉じるには強い力が必要であって、閉まり難い。
本格的な防音ドアでよく使用されている発泡ゴム等のパッキンは、圧縮するに従って反発力も次第に増加するため、反りを生じたドアを隙間無く閉めるには、反りの少ない部分に対して、過剰の圧縮を行う必要があり、それだけ反発力が大きくなり、かなり大きい力を必要とする。
経験的に言って、反りの程度が概ね５ｍｍ（ミリメートル）を越えると、防音ドア等に使用される柔軟なゴムパッキンを使用したとしても、隙間の少ない部分に対する反発力は極めて大であり、ドアを隙間無く完全に閉めるには、中央のラッチ（掛け金）だけでは不十分であって、上下端部にもラッチが必要となる。こうなると、ドアの構造自体を根本的に変更する必要があり、ドアコストが増大し、一般家庭向きではなくなる。
【０００７】
ごく薄いゴム等で、特に柔軟性が付与されたパッキンは、簡易な防音ドア等で使用されているが、長年の使用でゴムが変形・破損する場合が多く、耐久性が問題である。また、薄いゴムと言う事は、遮音性能が劣るという欠点を有する。
【０００８】
（イ）磁石利用のドアは開扉時重く、強い力が必要である。
磁石の利用は、磁石と鉄板との距離の２乗に反比例する吸引力を利用するものであって、ドア閉鎖時にはそれだけ軽くなり、完全な密着を期待出来るが、反面、開扉時には、この磁力の吸引力に逆らって、ドアを押す（又は引張る）必要があるため、それだけ重くなり、強い力が必要である。なお、磁力の調整によって、ある程度は開閉を行い易い程度に改善可能であるが、それだけ吸引力・密着性が低下する等、両者を満足させることは困難である。
また、磁石は金属ゴミ片を吸着したり、磁気カードのメモリを破損したりする危険性がある。さらに、鉄板はドアの四周に露出するため、外観上見苦しいという大きな欠点もある。すなわち、磁石は、冷蔵庫等比較的小型のドアで、本体枠共に高精度が期待できる場合の高気密保持には好都合だが、室内ドア等の大型ドアでは、適しているとはいい難い。
【０００９】
そこで本発明の目的は、上記従来の戸当たり部材の欠点を解消した、構造が簡単で、軽く開閉可能であり、反りを生じたドアに対しても隙間なく当接可能な戸当たり部材を提供することにある。
【００１０】
【課題を解決するための手段】
上記の目的を達するために、請求項１に記載の戸当たり部材は、ドア枠（１）に固定され、閉じられたドア（２）側にだけ開口部を有する横断面コ字状の中空部材（３１）と、その中空部材（３１）に開口部からドア（２）側とは逆側となる奥側に向かって収納され、しかもそのときドア（２）側の一部が外側に突出した状態で収納されるゴム様弾性体よりなる反り追従体（３２）と、および、中空部材（３１）の奥側と、収納された反り追従体（３２）との間の閉じられた空間に収納された、内部に気体／又は液体が封入されたゴム様弾性体よりなるチューブ体（３３）と、を備えてなり、ドア（２）閉時には、反り追従体（３２）の外側に突出した一部の側がドア（２）に当接することを特徴とする。
【００１３】
なお、上記の括弧内の記号は図面及び後述する発明の実施の形態に記載された記号に対応するものである。
【００１６】
本発明によれば、中空部材の奥側、反り追従体によって閉じられた空間に収納された、ゴム様弾性体よりなるチューブ体内には気体／又は液体が封入されているため、その気体／又は液体が、変形に対して僅かながら抵抗を受けるという制約はあるが、反りを生じたドアが閉じられると、ドアはゴム様弾性体よりなる反り追従体に局部的に当接し押圧し、押圧された反り追従体の部分を凹ませる。これにより、封入された気体／又は液体は押圧されて、その圧力が高められる。
【００１７】
すなわち、反りを生じたドアの中立面（反りのない平面）が反り追従体の先端に到達、当接し、反り追従体が凹むと、チューブ体が変形し、内部の気体／又は液体は、その圧力を最小化するよう移動する。それによって、チューブ体が変形すると共に、そのチューブ体の変形に追従して、反り追従体の、ドアによって押圧されない部分が変形するので、そのため、反り追従体はその全長にわたって、ドアに追従し、当接する。
なお、チューブ体内の圧力（反発力）は、それ自身及び反り追従体の変形に要する分だけ僅かに上昇する。気体／又は液体は、チューブ体内に封入されているため、外部への漏れが完全に防止されるという効果を有する。
【００１８】
【発明の実施の形態】
本発明の実施の形態例について図面を参考にして説明する。図１は本発明の第１の実施の形態例に係わる戸当たり部材を示す横断面図、図２はドアに反りを生じた状態を示す図１のＡ−Ａ線断面図である。
【００１９】
図１に示すように、戸当たり部材３０は、ドア枠１に固定された中空部材３１と、中空部材３１に収納されたゴム様弾性体よりなる反り追従体３２と、および、中空部材３１の奥側と、収納された反り追従体３２との間の閉じられた空間に気密／又は液密に封入された気体／又は液体と、を備えてなり、ドア２閉時には反り追従体３２の外側に突出した一部の側がドア２に当接するようになっている。
中空部材３１は閉じられたドア２側にだけ開口部を有する横断面コ字状の形状をしている。また、反り追従体３２はその中空部材３１の開口部からドア２側とは逆側となる奥側に向かって収納され、しかもそのときドア２側の一部が外側に突出した状態で収納されている。
【００２０】
さらに詳細に説明すると、反り追従体３２は、ゴム又は軟質のプラスチックの発泡体が好ましいが、これに限定されるものではない。また、封入される気体としては空気、液体として鉱物油が、安価で安定であり、好ましいが、必ずしも限定されるものではない。さらに、反り追従体３２の外端面、すなわち反り追従体３２の突出したドア側の一部に、図に示すように、ドア２への追従性を高めるために、さらに、ゴム様弾性体よりなり、且つ中空状のパッキン７が取付けられているが、なくても構わない。なお、中空部材３１は、ドア枠１へ穿けられた孔１ａに嵌着される突起３１ａを介して固定される。
【００２１】
次にこのように構成された戸当たり部材３０の作用について説明すると、反りを生じたドア２が閉じられると、ドア２はゴム様弾性体よりなる反り追従体３２に局部的に当接して押圧し、押圧した反り追従体３２の部分を凹ませる。これにより、封入された気体／又は液体が押圧され、その圧力が高められる。押圧された気体／又は液体は、内部の圧力を最小化するよう、空間内を瞬時に、ドア２によって押圧されない反り追従体３２の部分へ移動する（逃げる）と共に、その部分の反り追従体３２をドア２側に押圧し、変形させ、ドア２へ当接させるよう作用する。
【００２２】
すなわち、反りを生じたドア２の中立面（反りのない平面）が反り追従体３２のドア側先端に当接し、反り追従体３２が凹むと、内部空間の気体／又は液体は、その圧力を最小化するよう移動する。それによって、反り追従体３２の、ドア２によって押圧されない部分が変形し、反り追従体３２が全長にわたって、ドア２に追従し、当接する。なお、内部空間内の圧力（反発力）は、反り追従体３２の変形に要する分だけ僅かに上昇する。さらに、それ以上ドア２が追従体３２へ押圧されると、内部空間の圧力は上昇し、反発力が高まるだけで、反り追従体３２は変形しない。
【００２３】
そのため、比較的簡単な構造にも拘わらず、反発力が極めて小さく、ドア２に対する僅かな閉じ力で、反り追従体３２を、反りを生じたドア２の面に追従して変形させ、当接させることが出来、ドア２を隙間なく閉じることが出来る。その他、磁石と鉄板との組み合わせのように、開扉時、重く、強い力が必要であることはなく、また金属ゴミ片を吸着したり、磁気カードのメモリを破損したりする危険性も全くないという長所を有する。
【００２４】
次に本発明の第２の実施の形態例について図３により説明する。基本的構成は、第１の実施の形態例のそれと略同じであるが、特に、中空部材３１の奥側と、収納された反り追従体３２との間の閉じられた空間にゴム様弾性体よりなるチューブ体３３が収納されている点が異なる。チューブ体３３の内部には気体／又は液体が封入されている。
【００２５】
これによれば、中空部材３１の奥側と、反り追従体３２とによって閉じられた空間に収納されたチューブ体３３内には気体／又は液体が封入されているため、その気体／又は液体が、ドアの当接による変形に対して僅かながら抵抗を受けるという制約はあるが、第１の実施の形態例に記載の内部空間の気体／又は液体と略同様に作用する。
【００２６】
すなわち、反りを生じたドア２の中立面（反りのない平面）が反り追従体３２の先端に当接し、反り追従体３２が凹むと、チューブ体３３が変形し、内部の気体／又は液体は、その圧力を最小化するよう移動する。それによって、チューブ体３３が変形すると共に、そのチューブ体３３の変形に追従して、反り追従体３２の、ドア２によって押圧されない部分が変形する。そのため、反り追従体３２はその全長にわたって、ドア２に追従して当接する。
【００２７】
なお、チューブ体３３内の圧力（反発力）は、それ自身及び反り追従体３２の変形に要する分だけ僅かに上昇する。気体／又は液体は、チューブ体３３内に封入されているため、外部への漏れが完全に防止される。
【００２８】
【発明の効果】
以上のとおり、本発明によれば、チューブ体内に封入された気体／又は液体が、変形に対して僅かながら抵抗を受けるという制約はあるが、反りを生じたドアが閉じられると、ドアはゴム様弾性体よりなる反り追従体に局部的に当接し押圧し、押圧された反り追従体の部分を凹ませると共に、封入された気体／又は液体は押圧され、その圧力が高められる。
【００２９】
すなわち、反りを生じたドアの中立面（反りのない平面）が反り追従体のドア側先端に到達、当接し、反り追従体が凹むと、チューブ体が変形し、内部の気体／又は液体は、その圧力を最小化するよう移動する。それによって、チューブ体が変形すると共に、そのチューブ体の変形に追従して、反り追従体の、ドアによって押圧されない部分が変形するので、そのため、反り追従体はその全長にわたって、ドアに追従し、当接する。
なお、チューブ体内の圧力（反発力）は、それ自身及び反り追従体の変形に要する分だけ僅かに上昇する。
【００３０】
また本発明によれば、気体／又は液体はチューブ体内に封入されているため外部への漏れを完全に防止するという効果を発揮する。
【図面の簡単な説明】
【図１】本発明の第１の実施の形態例を示す横断面図である。
【図２】ドアに反りを生じた状態を示す図１のＡ−Ａ線断面図である。
【図３】本発明の第２の実施の形態例を示す横断面図である。
【図４】従来例を示す横断面図である。
【図５】ドアに反りを生じた状態を示す図４のＢ−Ｂ線断面図である。
【符号の説明】
１          枠材
１ａ        孔
２          ドア
５          隙間
７          パッキン
８          戸当たり部材
３０        戸当たり部材
３１        中空部材
３１ａ      突起
３２        反り追従体
３３        チューブ体
【図１】
0003995071.tif 000002
【図２】
0003995071.tif 000003
【図３】
0003995071.tif 000004
【図４】
0003995071.tif 000005
【図５】
0003995071.tif 000006